(57)【要約】      （修正有）【課題】ワンタッチにて、しかも安価にて現有器機の文字の小さな操作キ−部分を大型文字（点字）表示のものにする。【解決手段】大型活字にて各操作用表示文字を印刷し、その表面を摩滅防止用に貼付式素材もしくは塗布式素材にて皮膜処理した、パソコンキ−ボ−ドをはじめとする各種ボタン操作式器機の、個々操作キ−形状の印刷物、被接着体である各操作キ−表面形状に応じて任意に変形する、簡易変形素材及び接着剤から構成される、既設操作キ−表面貼付用の大型表示文字操作キ−のシ−ル形状物。【選択図】図１
0003121791.tif 000002
【実用新案登録請求の範囲】
【請求項１】
『大型活字にて各操作用表示文字等を印刷し（大型点字用文字にて凸状に表示文字部分を印刷もしくは成形方法により表示したものを含む）、その表面を摩滅防止用に貼付式素材もしくは塗布式素材にて皮膜処理した、パソコン用キ−ボ−ドをはじめとする、各種ボタン操作式器機の個々操作キ−形状の印刷（成形）物』『被接着体である、各機器既設操作キ−表面形状に応じて任意に変形する、簡易変形素材』『接着剤』から構成される、既設操作キ−表面部貼付用の大型表示文字操作キ−のシ−ル形状物。
【考案の詳細な説明】
【技術分野】
【０００１】  この考案は『大型活字にて各操作用表示文字等を印刷し（大型点字用文字にて凸状に表示文字部分を印刷もしくは成形方法により表示したものを含む）、その表面を摩滅防止用に貼付式素材もしくは塗布式素材にて皮膜処理した、パソコン用キ−ボ−ドをはじめとする、各種ボタン操作式器機の個々操作キ−形状の印刷（成形）物』『被接着体である、各機器既設操作キ−表面形状に応じて任意に変形する、簡易変形素材』『接着剤』から構成される、既設操作キ−表面部貼付用の大型表示文字操作キ−のシ−ル形状物に関するものである。
【背景技術】
【０００２】  たとえばパソコンのキ−ボ−ドを例に挙げると、従来のほとんどのパソコン用キ−ボ−ドの、操作キ−表面の表示文字の大きさは、せいぜいが５ｍｍ角程度のものであり、決して大きなサイズとはいえず、高齢者の方や、視力の弱い身体障害者の方等にとっては、表示文字の視認性は決して良いとは言える物ではなかつた。【０００３】  それならば、視力の低下した高齢者等の方等にでも容易に表示文字の視認がしやすい、表示文字が大きなキ−ボ−ドを用意すれば良いということになるが、現在ごく一部に市販されている、これら大型文字表示のキ−ボ−ドはいずれも高価なもので、又、キ−ボ−ドを従来所有している物との２重所持になる点等、経済的面や資源活用面においても無駄な面があると思われ、現所有のキ−ボ−ドの既設操作キ−の表示文字部分を簡単に、又安価で大型表示なものに変える考案の必要性が思われた。【０００４】  又、電話機の操作ボタン部、洗濯機の操作ボタン部等、家庭内の各器機に採用されている各メンブレンスイッチ等の既設操作キ−部分に関しても同様に、表示文字の視認性の悪さが見受けられ、それら既設操作キ−の操作部分の文字を簡単に、又安価で大型表示のものに変える考案の必要性も思われた。【０００５】  さらに、上記各操作キ−のほとんどは、平面状に印刷されたものがほとんどで、全盲者の方用に点字文字にて凸状に印刷表示されているものは皆無と言っても良く、これらの障害を持つ人々の為に、既設操作ボタンの操作部分の文字を簡単に、又安価で大型の点字文字で凸状に表示されているものに変える考案の必要性も同時に思われた。
【考案の開示】
【考案が解決しようとする課題】
【０００６】  パソコンのキ−ボ−ドをはじめとする、家庭内の各器機の既設操作ボタン部分の表示文字の視認性の悪さの為に、誤入力や誤作動等を招き、正確な作動を行わせる上で多大な負担を余儀なくされている、高齢者や視力障害等を持つ身体障害者の方々用に『操作の為の表示文字が大型活字で印刷されており』『ワンタッチで現在使用している各器機の既設操作キ−部分の上面に貼り付けることが出来る』既設各操作キ−の上面に貼付する方式の、大型表示の操作キ−のシ−ル形状物が必要であると思われた。【０００７】  又、全盲者の方用に、『表示部分が大型の点字文字で凸状に表示されており』『ワンタッチで現在使用している各器機の既設操作キ−部分の上面に貼り付けることが出来る』各操作キ−のシ−ル形状物も必要であると思われた。【０００８】  又、同構造物の表面には、各文字の印刷面の摩滅防止用に、保護の為の皮膜層を有する特殊構造を持たせることが必要であり、さらには被接着体である、各既設操作キ−表面の凹凸部に完全に密着させる為にも、簡易に変形し密着させることを目的とした特殊構造が必要であると思われた。
【課題を解決するための手段】
【０００９】  『操作用の表示文字を特大活字で印刷（点字文字にて凸状に印刷もしくは成型）した印刷（成型）物（２）』の表面に、印字面の摩滅防止の為の『ラミネ−トフィルム等の貼付式素材、もしくは透明クリア−塗料等の塗布式素材、から構成される皮膜層（１）』をもうけた加工物の底部に『被接着体である、各既設操作キ−上面の凹凸部形状にあわせ容易に変形し密着させることを目的とした簡易変形素材（３）』を圧着し、さらにその構造体の下面に『非接着体への接着を目的とした接着剤（４）』を塗布し、全構造体をシ−ル形状の構造にしたものが本考案である。
【考案の効果】
【００１０】  本考案により、ワンタッチでしかも安価にて、現在使用しているパソコンのキ−ボ−ドをはじめとする、ボタン操作式の各器機の既設操作キ−部分の操作用表示文字部分を大きなものに変えることが出来、高齢者や視力障害等を持つ身体障害者の方々にも容易な入力や操作を行うことの出来る環境の提供ができる。
又、家庭内のあらゆるボタン操作式各器機の既設操作キ−部分の操作用表示文字部分を全盲者の方用に大型の点字文字で凸状に表示されているものに、簡単にしかも安価にて変えることが出来る。
【考案を実施するための最良の形態】
【００１１】  本考案による構造理論は、印刷可能な物質であればどのような材質のものにも適用でき、その形態もシ−ル加工の際の型抜きの金型製造技術上可能な形や大きさであれば、どのような形状にも対応出来るものであるが、『（３）の被接着体である、操作キ−上面の凹凸形状にあわせ容易に変形し密着させることを目的とした簡易変形素材』に関しては、凹凸さまざまな被接着面に全て対応させる為、高密度のスポンジ形状の素材の物が良いと思われる。【００１２】  又、全盲者の方用に点字文字表示を施す際には、スクリ−ン印刷での凸状態にての印刷もしくは、プラスチック等の素材利用による成型表示状態のどちらでも対応が可能である。
【産業上の利用可能性】
【００１３】  パソコン用キ−ボ−ドに関していえば、大型文字表示の、高額な特殊キ−ボ−ドをわざわざ新たに購入する必要も無く、一般のシ−ル感覚でワンタッチで貼付することが可能であり、しかも安価にて、現所有キ−ボ−ドの表示文字の大きさを大きくすることが出来る。【００１４】  又、その他の器機に関しては、上記のように材質、形状、大きさ等に現在の印刷技術並びに金型製造技術の適用範囲内においては、何ら制限を受けないものであり、現在市場に流通している各機器の既設操作キ−全てに対応させることが可能である。【００１５】  さらに、操作用の文字の印刷（成型）時に大型の点字用文字を施せば、家庭内の全ての対応器機の既設操作部分をワンタッチでしかも安価にて、全盲者対応のスイッチに変えることも容易であり、産業上その利用可能性は無限大と思われる。
【図面の簡単な説明】
【００１６】
【図１】パソコン用キ−ボ−ドを例にした構造の傾斜図。
【図２】本体断面構造図。
【図３】被接着体への接着状況の断面図。
【符号の説明】
【００１７】１．皮膜層。
２．操作用大型文字印刷（成型）物。
３．簡易変形素材。
４．接着剤。
５．被接着体（各操作キ−）
【図１】
0003121791.tif 000003
【図２】
0003121791.tif 000004
【図３】
0003121791.tif 000005
【手続補正書】
【提出日】平成18年1月27日(2006.1.27)
【手続補正１】
【補正対象書類名】実用新案登録請求の範囲
【補正対象項目名】全文
【補正方法】変更
【補正の内容】
【実用新案登録請求の範囲】
【請求項１】
表面に摩滅防止用の皮膜層（１）をもうけた、大型文字等の印刷物（２）の下面に、非接着体の表面形状に応じて任意に変形する簡易変形素材（３）を圧着し、さらにその簡易変形素材（３）の下面に非接着体への密着を目的とする接着剤（４）を有した、シ−ル形状物。
【手続補正２】
【補正対象書類名】明細書
【補正対象項目名】全文
【補正方法】変更
【補正の内容】
【考案の詳細な説明】
【技術分野】
【０００１】  この考案は、表面に摩滅防止用の皮膜層（１）をもうけた、大型文字等の印刷物（２）の下面に、非接着体の表面形状に応じて任意に変形する簡易変形素材（３）を圧着し、さらにその簡易変形素材（３）の下面に非接着体への密着を目的とする接着剤（４）を有した、シ−ル形状物に関するものである。
【背景技術】
【０００２】  まずパソコン用のキ−ボ−ドを例に挙げると、従来のほとんどのパソコン用キ−ボ−ドの、操作キ−表面の表示文字の大きさは、せいぜいが５ｍｍ角程度のものであり、決して大きなサイズとはいえず、高齢者の方や、視力の弱い身体障害者の方等にとっては、表示文字の視認性は決して良いとは言える物ではなかった。【０００３】  それならば、視力の低下した高齢者等の方等にでも容易に表示文字の視認がしやすい、表示文字が大きなキ−ボ−ドを用意すれば良いということになるが、現在ごく一部に市販されている、これら大型文字表示のキ−ボ−ドはいずれも高価なもので、又、キ−ボ−ドを従来所有している物との２重所持になる点等、経済的面や資源活用面においても無駄な面があると思われ、各ユ−ザ−が現在すでに所有しているキ−ボ−ドの既設操作キ−の表示文字部分を簡単に、又、安価で大型表示なものに変えることが出来る考案の必要性が思われた。【０００４】  又、電話機の操作ボタン部、洗濯機の操作ボタン部等、家庭内の各器機に採用されている各メンブレンスイッチ等の既設操作キ−部分に関しても同様に、表示文字の視認性の悪さが見受けられ、それら既設操作キ−の操作部分の文字を簡単に、又、安価で大型表示のものに変えることが出来る考案の必要性も思われた。【０００５】  さらに、上記各操作キ−のほとんどは、平面状に印刷されたものがほとんどで、全盲者の方用に点字文字にて凸状に印刷表示されているものは、一部最新式の高額商品にはようやく見受けることが出来つつあるも、すでに各家庭に購入配置済みの、旧型商品に関して言えば、皆無と言っても良く、これらの障害を持つ人々の為に、すでに各家庭に設置されている器機の、既設操作ボタンの操作部分の文字を簡単に、又安価で点字文字で凸状に表示されているものに変えることが出来る考案の必要性も同時に思われた。
【考案の開示】
【考案が解決しようとする課題】
【０００６】  パソコンのキ−ボ−ドをはじめとする、家庭内の各器機の既設操作ボタン部分の表示文字の視認性の悪さの為に、誤入力や誤作動等を招き、正確な作動を行わせる上で多大な負担を余儀なくされている、高齢者や視力障害等を持つ身体障害者の方々の為に、既設の各操作キ−の上面に、ワンタッチで貼り付けることが出来る、大型文字表示の、各操作キ−のシ−ル形状物が必要であると思われた。【０００７】  又、全盲者の方の為に、同様な使用方法で、表示部分が点字文字で凸状に表示されているシ−ル形状物も必要であると思われた。【０００８】  又、このシ−ル形状物の表面には、各文字等の印刷面の摩滅防止用に、保護の為の皮膜層を有する特殊構造を持たせることが必要であり、さらには被接着体である、各既設操作キ−表面の凹凸部に完全に密着させる為にも、簡易に変形し密着させることを目的とした特殊構造が必要であると思われた。
【課題を解決するための手段】
【０００９】  印刷面の摩滅防止の為の皮膜層（１）をもうけた、操作用の表示文字を大型文字等で印刷並びに点字成型した、印刷物（２）の下面に、被接着体である、各既設操作キ−上面の凹凸部の形状にあわせ容易に変形させることを目的とした簡易変形素材（３）を圧着し、さらにその簡易変形素材の下面に、非接着体への密着を目的とした接着剤（４）を有したシ−ル形状物が本考案である。
【考案の効果】
【００１０】  本考案により、ワンタッチでしかも安価にて、現在使用しているパソコンのキ−ボ−ドをはじめとする、ボタン操作式の各器機の既設操作キ−部分の操作用表示文字部分を大きな表示のものに変えることが出来、高齢者や視力障害等を持つ身体障害者の方々にも容易な入力や操作を行うことの出来る環境の提供が可能になる。
又、家庭内のあらゆるボタン操作式各器機の既設操作キ−部分の操作用表示文字部分をその表面の凹凸にかかわらず、全盲者の方用に点字文字で凸状に表示されているものに、簡単にしかも安価にて変えることも可能である。
【考案を実施するための最良の形態】
【００１１】  本考案による構造理論は、印刷可能な物質であればどのような材質のものにも適用でき、その形態もシ−ル加工の際の、型抜きの金型製造技術上可能な形や大きさであれば、どのような形状にも対応出来るものであるが、被接着体である、操作キ−上面の凹凸形状にあわせ容易に変形し密着させることを目的とした簡易変形素材（３）に関しては、凹凸さまざまな被接着面に全て対応させる為、高密度ウレタン等の素材の物が良いと思われる。【００１２】  又、全盲者の方用に点字文字表示を施す際には、点字印刷での印字成型が最も良いと思われる。
【産業上の利用可能性】
【００１３】  パソコン用キ−ボ−ドに関していえば、大型文字表示の、高額な特殊キ−ボ−ドをわざわざ新たに購入する必要も無く、一般のシ−ル感覚でワンタッチで手持ちのキ−ボ−ドのキ−の上に貼付することが可能であり、しかも安価にて、大型表示文字のキ−ボ−ドに変えることが可能である。【００１４】  又、その他の家庭内の該当器機に関しても、既に購入済みの各機器等の既設操作キ−全てに対応させることが可能である。【００１５】  さらに、壁面の照明用のボタン式スイッチ等をはじめとし、家庭内の全ての対応器機等の既設操作部分をワンタッチでしかも安価にて、全盲者対応の点字スイッチに変えることも容易であり、産業上その利用可能性は無限大と思われる。
【図面の簡単な説明】
【００１６】
【図１】パソコン用キ−ボ−ドを例にした構造の傾斜図。
【図２】本体断面構造図。
【図３】被接着体への接着状況の断面図。
【符号の説明】
【００１７】      １．皮膜層。
２．操作用大型文字印刷（成型）物。
３．簡易変形素材。
４．接着剤。
５．被接着体（各操作キ−）